(57)【特許請求の範囲】
【請求項１】
利用履歴情報を記憶する記憶手段を内部に有するＩＣカードと、該ＩＣカード内の情報にアクセスするための端末装置と、該端末装置とネットワークを介して接続され、カード会社でクレジット加盟店から請求があったクレジット利用情報を記憶する記憶手段を有するサーバとを備えたシステムにおける支払管理方法であって、
前記クレジット加盟店で前記ＩＣカードを利用して支払を行った際の利用履歴情報を、前記ＩＣカード内の記憶手段に、記憶させるステップと、
前記端末装置により、前記ＩＣカードから前記利用履歴情報を読み取るステップと、
前記端末装置により、前記サーバの記憶手段に記憶されている前記クレジット利用情報を取り出すステップと、
前記端末装置により、前記ＩＣカードから読み取った利用履歴情報と前記サーバから取り出したクレジット利用情報とを照合するステップと、
前記照合の結果、異なる利用履歴があった場合、その旨を前記ＩＣカード内の利用履歴情報に書き込み、前記端末装置で表示するステップと
を備えたことを特徴とする支払管理方法。
【請求項２】
請求項１に記載の支払管理方法において、
前記ＩＣカード内の利用履歴情報及び前記サーバ内のクレジット利用情報は、カード利用者に請求される時期を示す請求時期情報及びその支払が済んだか否かを示す支払済情報を含み、前記端末装置が取り出した前記サーバ内のクレジット利用情報に応じて、前記ＩＣカード内の利用履歴情報の請求時期情報及び支払済情報を更新することを特徴とする支払管理方法。
【請求項３】
請求項１に記載の支払管理方法において、
前記異なる利用履歴であるものとしてその旨が書き込まれた利用履歴に関する問い合わせを行なうか否かの選択を受け付けるステップを、さらに備えたことを特徴とする支払管理方法。
【請求項４】
請求項３に記載の支払管理方法において、
前記問い合わせを行なうとの選択を受け付けた場合、当該異なる利用履歴であるとされた利用履歴を特定する利用No.を含む問い合わせを前記サーバに送信するステップを、さらに備えたことを特徴とする支払管理方法。
【請求項５】
請求項４に記載の支払管理方法において、
前記ＩＣカード内の利用履歴情報及び前記サーバ内のクレジット利用情報は、カード利用者に請求される時期を示す請求時期情報及びその支払が済んだか否かを示す支払済情報を含み、前記端末装置が取り出した前記サーバ内のクレジット利用情報に応じて、前記ＩＣカード内の利用履歴情報の請求時期情報及び支払済情報を更新するものであり、
さらに前記端末装置により、前記ＩＣカードの記憶手段内の利用履歴情報のうち、支払済の履歴または前記問い合わせを行なうとの選択を受け付けた履歴について、それらの履歴を削除するか否かの選択を受け付けることを特徴とする支払管理方法。
【請求項６】
利用履歴情報を記憶する記憶手段を内部に有するＩＣカードを利用してクレジット加盟店で支払を行った支払情報について管理する支払管理システムであって、
前記ＩＣカードから利用履歴情報を読み取る手段と、
前記ＩＣカードを利用した支払についてのクレジット利用情報を管理するカード会社のサーバから、前記クレジット利用情報を取得する手段と、
前記ＩＣカードから読み取った利用履歴情報と前記取得したクレジット利用情報とを照合する手段と、
前記照合の結果、異なる利用履歴があった場合、その旨を前記ＩＣカード内の利用履歴情報に書き込み表示する手段と
を備えたことを特徴とする支払管理システム。
【請求項７】
請求項６に記載の支払管理システムにおいて、
前記ＩＣカード内の利用履歴情報及び前記サーバ内のクレジット利用情報は、カード利用者に請求される時期を示す請求時期情報及びその支払が済んだか否かを示す支払済情報を含み、
さらに、前記サーバから取得したクレジット利用情報に応じて、前記ＩＣカード内の利用履歴情報の請求時期情報及び支払済情報を更新する手段を
備えたことを特徴とする支払管理システム。
【請求項８】
請求項６に記載の支払管理システムにおいて、
前記異なる利用履歴であるものとしてその旨が書き込まれた利用履歴に関する問い合わせを行なうか否かの選択を受け付ける手段を、さらに備えたことを特徴とする支払管理システム。
【請求項９】
請求項８に記載の支払管理システムにおいて、
前記問い合わせを行なうとの選択を受け付けた場合、当該異なる利用履歴であるとされた利用履歴を特定する利用No.を含む問い合わせを前記サーバに送信する手段を、さらに備えたことを特徴とする支払管理システム。
【請求項１０】
請求項９に記載の支払管理システムにおいて、
前記ＩＣカード内の利用履歴情報及び前記サーバ内のクレジット利用情報は、カード利用者に請求される時期を示す請求時期情報及びその支払が済んだか否かを示す支払済情報を含み、
さらに、前記サーバから取得したクレジット利用情報に応じて、前記ＩＣカード内の利用履歴情報の請求時期情報及び支払済情報を更新する手段と、
前記ＩＣカードの記憶手段内の利用履歴情報のうち、支払済の履歴または前記問い合わせを行なうとの選択を受け付けた履歴について、それらの履歴を削除するか否かの選択を受け付ける手段と
を備えたことを特徴とする支払管理システム。
【発明の詳細な説明】
【０００１】
【発明の属する技術分野】
本発明は、ＩＣカードを活用したクレジットカードを利用して好適な支払管理を行う支払い管理方法及びシステムに関する。
【０００２】
【従来の技術】
従来、クレジットカードの利用履歴と請求額との突き合わせは、利用者が、利用したときにクレジットカード加盟店から渡される利用控えとカード会社から送付される請求書とを突き合わせて、次回引落しがされる利用履歴、次回以降に引落しがされる利用履歴、及び利用していないのに誤って請求がきている利用履歴などを判断していた。また、クレジットの利用控えに関しては、特願平７−８５０８６号にてＩＣカード内の記憶装置に利用履歴を格納するという方法が示されている。
【０００３】
これらの方法では、カード会社から請求書が送付されるまで、次回引落される金額がわからなかった。また利用控えを紛失した場合、いつ、いくら使ったかわからなくなり、請求書の内容に関して、不正に利用されていないか、また次回以降に請求がくる利用金額がわからなかった。
【０００４】
これらの問題を解決する手段としては、公知例として、電話やインターネットで毎月の請求額を照会できる、というサービスがある。
【０００５】
【発明が解決しようとする課題】
上述の請求額を照会できるサービスでは、カード会社に格納されている自分の利用履歴を検索する為に、カード番号を入力したりするのに時間がかかり、検索した後に利用時に受け取った紙の利用控えと突き合わせるのに手間がかかった。また、利用はしてもクレジットカード加盟店からカード会社に請求がきて、カード会社がサーバに接続した記憶装置に登録するまでに時間がかかり、利用者が上記サービスにより検索しても見つからないことがあった。
【０００６】
本発明は、上述の従来技術における問題点を解決することを目的とし、ＩＣカードに利用履歴を格納し、その利用履歴とカード会社が所有する請求情報とを照合し、クレジットカード利用者が、迅速に請求期日を確認し、利用していない請求を判断し、次回以降の請求金額を把握できるようにすることで、好適な支払い管理ができる支払い管理方法及びシステムを提供することを目的とする。
【０００７】
【課題を解決するための手段】
上記目的を達成するため、請求項１に係る発明は、利用履歴情報を記憶する記憶手段を内部に有するＩＣカードと、該ＩＣカード内の情報にアクセスするための端末装置と、該端末装置とネットワークを介して接続され、カード会社でクレジット加盟店から請求があったクレジット利用情報を記憶する記憶手段を有するサーバとを備えたシステムにおける支払管理方法であって、前記クレジット加盟店で前記ＩＣカードを利用して支払を行った際の利用履歴情報を、前記ＩＣカード内の記憶手段に、記憶させるステップと、前記端末装置により、前記ＩＣカードから前記利用履歴情報を読み取るステップと、前記端末装置により、前記サーバの記憶手段に記憶されている前記クレジット利用情報を取り出すステップと、前記端末装置により、前記ＩＣカードから読み取った利用履歴情報と前記サーバから取り出したクレジット利用情報とを照合するステップと、前記照合の結果、異なる利用履歴があった場合、その旨を前記ＩＣカード内の利用履歴情報に書き込み、前記端末装置で表示するステップとを備えたことを特徴とする。
【０００８】
請求項２に係る発明は、請求項１に記載の支払管理方法において、前記ＩＣカード内の利用履歴情報及び前記サーバ内のクレジット利用情報は、カード利用者に請求される時期を示す請求時期情報及びその支払が済んだか否かを示す支払済情報を含み、前記端末装置が取り出した前記サーバ内のクレジット利用情報に応じて、前記ＩＣカード内の利用履歴情報の請求時期情報及び支払済情報を更新することを特徴とする。
【０００９】
請求項３に係る発明は、請求項１に記載の支払管理方法において、前記異なる利用履歴であるものとしてその旨が書き込まれた利用履歴に関する問い合わせを行なうか否かの選択を受け付けるステップを、さらに備えたことを特徴とする。
【００１０】
請求項４に係る発明は、請求項３に記載の支払管理方法において、前記問い合わせを行なうとの選択を受け付けた場合、当該異なる利用履歴であるとされた利用履歴を特定する利用No.を含む問い合わせを前記サーバに送信するステップを、さらに備えたことを特徴とする。
【００１１】
請求項５に係る発明は、請求項４に記載の支払管理方法において、前記ＩＣカード内の利用履歴情報及び前記サーバ内のクレジット利用情報は、カード利用者に請求される時期を示す請求時期情報及びその支払が済んだか否かを示す支払済情報を含み、前記端末装置が取り出した前記サーバ内のクレジット利用情報に応じて、前記ＩＣカード内の利用履歴情報の請求時期情報及び支払済情報を更新するものであり、さらに前記端末装置により、前記ＩＣカードの記憶手段内の利用履歴情報のうち、支払済の履歴または前記問い合わせを行なうとの選択を受け付けた履歴について、それらの履歴を削除するか否かの選択を受け付けることを特徴とする。
【００１２】
請求項６に係る発明は、利用履歴情報を記憶する記憶手段を内部に有するＩＣカードを利用してクレジット加盟店で支払を行った支払情報について管理する支払管理システムであって、前記ＩＣカードから利用履歴情報を読み取る手段と、前記ＩＣカードを利用した支払についてのクレジット利用情報を管理するカード会社のサーバから、前記クレジット利用情報を取得する手段と、前記ＩＣカードから読み取った利用履歴情報と前記取得したクレジット利用情報とを照合する手段と、前記照合の結果、異なる利用履歴があった場合、その旨を前記ＩＣカード内の利用履歴情報に書き込み表示する手段とを備えたことを特徴とする。
【００１３】
請求項７に係る発明は、請求項６に記載の支払管理システムにおいて、前記ＩＣカード内の利用履歴情報及び前記サーバ内のクレジット利用情報は、カード利用者に請求される時期を示す請求時期情報及びその支払が済んだか否かを示す支払済情報を含み、さらに、前記サーバから取得したクレジット利用情報に応じて、前記ＩＣカード内の利用履歴情報の請求時期情報及び支払済情報を更新する手段を備えたことを特徴とする。
【００１４】
請求項８に係る発明は、請求項６に記載の支払管理システムにおいて、前記異なる利用履歴であるものとしてその旨が書き込まれた利用履歴に関する問い合わせを行なうか否かの選択を受け付ける手段を、さらに備えたことを特徴とする。
【００１５】
請求項９に係る発明は、請求項８に記載の支払管理システムにおいて、前記問い合わせを行なうとの選択を受け付けた場合、当該異なる利用履歴であるとされた利用履歴を特定する利用No.を含む問い合わせを前記サーバに送信する手段を、さらに備えたことを特徴とする。
請求項１０に係る発明は、請求項９に記載の支払管理システムにおいて、前記ＩＣカード内の利用履歴情報及び前記サーバ内のクレジット利用情報は、カード利用者に請求される時期を示す請求時期情報及びその支払が済んだか否かを示す支払済情報を含み、さらに、前記サーバから取得したクレジット利用情報に応じて、前記ＩＣカード内の利用履歴情報の請求時期情報及び支払済情報を更新する手段と、前記ＩＣカードの記憶手段内の利用履歴情報のうち、支払済の履歴または前記問い合わせを行なうとの選択を受け付けた履歴について、それらの履歴を削除するか否かの選択を受け付ける手段とを備えたことを特徴とする。
【００１６】
【発明の実施の形態】
以下、図面を用いて本発明の実施の形態を詳細に説明する。
【００１７】
図１は、本発明の一実施形態に係るＩＣカード及び支払管理システムの構成を示すブロック図である。１０１はクレジット加盟店においてＩＣカード内の情報の読み込み及び書込みを行うＩＣカード処理装置の本体を示し、入力装置１０２、処理装置１０３、ＩＣカード読み取り／書込み部１０４、表示装置１０５、通信装置１０６、及び記憶装置１０７を備えている。１２０は利用者が所持するＩＣカードの本体を示し、通信装置１２１、処理装置１２２、及び記憶装置１２３を備えている。１１０は利用者にカード会社の所有する請求情報を提供するためのカード会社システムを示し、通信装置１１１、カード会社サーバ１１２、及び記憶装置１１３を備えている。１４１は、クレジットカード利用者が利用する、ＩＣカード内の情報の読み込み及び書込みを行うＩＣカード処理装置の本体を示す。このＩＣカード処理装置１４１は、入力装置１４２、処理装置１４３、ＩＣカード読み取り／書込み部１４４、表示装置１４５、通信装置１４６、及び記憶装置１４７を備えている。１３０は、ＩＣカード処理装置１０１と、カード会社システム１１０と、利用者が利用するＩＣカード処理装置１４１の通信のためのネットワークである。
【００１８】
図２は、ＩＣカード１２０内の記憶装置１２３に格納された利用履歴テーブルの例である。２０１は利用金額、利用日付、及び利用店舗を表す利用履歴である。２０２は利用金額に対して請求の時期（利用者の口座からの引落しの時期）を表す請求日情報である。２０３は支払済か未支払か（引落し済か否か）を表す支払済情報である。２０４はその他の利用情報を表すその他情報である。２０５は利用のシーケンスナンバー（利用履歴のＩＤ（識別子）となる）である。
【００１９】
図３は、ＩＣカード１２０内の記憶装置１２３に格納された利用履歴テーブルとカード会社のサーバ１１２に接続した記憶装置１１３に格納された請求情報とを照合した後に、更新された利用履歴テーブルの一例である。３０１は利用金額、利用日付、及び利用店舗を表す利用履歴である。３０２は利用金額に対して請求の時期を表す請求日情報である。３０３は支払済か未支払かを表す支払済情報である。３０４はその他の利用情報を表すその他情報である。３０５は利用のシーケンスナンバーである。
【００２０】
図４は、図３の利用履歴テーブルのうち支払済の履歴を削除して更新したＩＣカード１２０内の利用履歴テーブルの一例である。４０１は利用金額、利用日付、及び利用店舗を表す利用履歴である。４０２は利用金額に対して請求の時期を表す請求日情報である。４０３は支払済か未支払かを表す支払済情報である。４０４はその他の利用情報を表すその他情報である。４０５は利用のシーケンスナンバーである。
【００２１】
図５は、ＩＣカード１２０内の利用履歴テーブルとカード会社システムの記憶装置１１３に格納されている請求情報とを照合した結果を表す画面の一例である。５０１は支払い済の利用履歴を表し、５０２は次回の請求を表し、５０３は次回以降の請求を表す。５０４は、記憶装置１１３内の請求情報にはあるが、ＩＣカード１２０内の利用履歴テーブルには存在しない、利用不明の請求（不明請求）を表す。５０５及び５０６は、この不明請求に対して、カード会社に問い合せを行うか行わないかを指示するボタンである。
【００２２】
図６は、ＩＣカード１２０内の利用履歴テーブルをオフラインで読み出した結果の画面の一例である。６０１は支払い済の利用履歴を表し、６０２は次回の請求を表し、６０３は次回以降の請求を表し、６０４は不明請求を表す。６０５及び６０６は、ＩＣカード１２０内の利用履歴テーブルの不明請求及び支払済の履歴を利用履歴テーブルから削除するかしないかを指示するボタンである。
【００２３】
図９は、カード会社のサーバ１１２に接続されている記憶装置１１３に格納される請求情報（クレジット利用情報）の一例である。９０１は利用金額、利用日付、及び利用店舗を表す利用履歴である。９０２は利用金額に対して請求の時期を表す請求日情報である。９０３は支払済か未支払かを表す支払済情報である。９０５は利用のシーケンスナンバーである。
【００２４】
図７は、本実施の形態のシステムにおいて、ＩＣカード１２０を利用して該ＩＣカード内の利用履歴テーブルとカード会社の請求情報とを照合するときの、処理手順を示すフローチャートである。
【００２５】
まず、カード利用者がカード加盟店でＩＣカード１２０で支払を行うとき、カード加盟店側は、カード利用者のＩＣカード１２０の記憶装置１２３に、利用履歴２０１、請求日情報２０２、その他情報２０４、及び利用No２０５を、ＩＣカード処理装置１０１を利用して書込む（ステップ７００）。このとき当該利用履歴の支払済情報２０３には未支払を表す“未”を書込む。また、請求日情報２０２には見込として仮の請求日情報を書込む。図２の請求日情報で（仮）とあるのが仮の請求日情報である。なお、カード加盟店において発生するこれらの情報は、請求情報としてＩＣカード処理装置１０１からカード会社システム１１０へ送信される。カード会社システム１１０では、図９に示したように、記憶装置１１３にこれらの情報を書込む。なお、カード会社システム１１０では送られてきた情報に対して請求日が確定できるので、請求日情報９０２としては確定した情報を書込む。
【００２６】
カード加盟店における支払時のステップ７００の処理の後、カード利用者は、例えば自宅に設置してあるＩＣカード処理装置１４１を用いて、ＩＣカード１２０の内容の確認や整理、及びカード会社の情報との照合などを行うことができる。ステップ７０１〜７０８は、そのようなＩＣカード処理装置１４１における処理の流れを示したものである。なお、カード加盟店であってもＩＣカード処理装置１０１を備えていない店があるが、そのような店でカードを使用した場合は、利用者自らがカード利用控などを参照してＩＣカード処理装置１４１を用いてステップ７００の処理（ＩＣカード１２０への情報書込みのみ）を行うようにしてもよい。
【００２７】
次に、このカードの利用者がＩＣカード処理装置１４０にＩＣカード１２０を挿入して所定の操作を行うと、ＩＣカード処理装置１４０は、ＩＣカード１２０の記憶装置１２３から利用履歴２０１、請求日情報２０２、支払済情報２０３、その他情報２０４、及び利用No２０５（図２）、並びに予めＩＣカード１２０に登録されているカード番号（クレジットNo）を読み出す（ステップ７０１）。カード番号は、当該ＩＣカード１２０を特定する識別子である。
【００２８】
次に、ＩＣカード処理装置１４１の通信装置１４６とネットワーク１３０により通信を行い、当該利用者のカード番号に該当するカード会社の記憶装置１１３に格納されているデータを用いて、当該カード番号が当該カード会社発行のクレジットカードの番号であるかを照会する。当該カード番号が当該カード会社発行のクレジットカードの番号であることが確認された場合は次のステップ７０３に進み、当該カード会社発行のクレジットカードの番号でない場合には終了する（ステップ７０２）。
【００２９】
次に、該当するカード番号に対応する請求情報（図９）をカード会社の請求情報が格納してある記憶装置１１３より検索して、利用履歴９０１、請求日情報９０２、支払済情報９０３、及び利用No９０５を取り出す（ステップ７０３）。
【００３０】
次に、ステップ７０１で読み出したＩＣカード１２０内の情報とステップ７０３で取り出したカード会社側の情報とを利用No毎に比較し（ステップ７０４）、ＩＣカード１２０内の利用履歴テーブル（図２）を更新する（ステップ７０５）。具体的には以下のようにする。
【００３１】
まず、ステップ７０１で読み出した情報とステップ７０３で取り出した情報とで利用No２０５と９０５が同じレコードがあれば、それらの同一利用Noのレコードについて利用履歴２０１と利用履歴９０１とを比較し、異なっていればその他情報２０４に利用履歴が異なる旨を書込む。次に、それら同一利用Noのレコードについて請求日情報２０２と９０２とを比較し、異なっていれば請求日情報９０２の内容を請求日情報２０２に書込む。次に、それら同一利用Noのレコードについて支払済情報２０３と９０３とを比較し、異なっていれば支払済情報９０３の内容を支払済情報２０３に書込む。次に、ステップ７０３で取り出したレコードの利用No９０５の中で、ＩＣカード１２０内の利用履歴テーブルの利用No２０５には無い利用Noがあった場合、ＩＣカード１２０内の利用履歴テーブルに新規レコードとして、その利用Noのレコードの利用履歴９０１、請求日情報９０２、支払済情報９０３、及び利用No９０５をそれぞれ利用履歴２０１、請求日情報２０２、支払済情報２０３、及び利用No２０５に書込み、さらにその他情報２０４に“不明請求（未問い合せ）”を書込む。そのように書込んで更新した結果の例を図３に示す。さらに、ステップ７０１で読み出したレコードの利用No２０５の中で、ステップ７０３でサーバから取り出したレコードの利用No９０５には無い利用Noがあった場合、ＩＣカード１２０内の利用履歴テーブルの当該レコードのその他情報２０４に“未請求”と書込む。
【００３２】
次に、ステップ７０４及びステップ７０５で照会及び更新した結果から合計金額を計算し、それらの結果をＩＣカード処理装置１４１の表示装置１４５に表示し、ＩＣカード処理装置１４１内の記憶装置１４７に照会結果を格納する（ステップ７０６）。図５に、利用履歴照会結果の表示例を示す。
【００３３】
次に、利用履歴照会結果表示画面（図５）において、不明請求に対する問い合せを行う場合、利用者は、ＩＣカード処理装置１４１の入力装置１４２を利用してＹＥＳボタン５０５を押す（ステップ７０７）。ＹＥＳボタン５０５の押下により、ＩＣカード処理装置１４１の通信装置１４６からネットワーク１３０を経由して不明請求の利用No（図５の例では利用Noが５）がカード会社に送信され、その送信後、ＩＣカード１２０内の記憶装置１２３に格納されている利用履歴テーブルのその他情報２０４を“不明請求（問い合せ済）”に更新し（ステップ７０８）、処理が終了する。不明請求に対する問い合せを行わない場合は、ＮＯボタン５０５をＩＣカード処理装置１４１の入力装置１４２を利用して押すと（ステップ７０７）、処理が終了する。なお、“不明請求”だけでなく“未請求”についても同様の問い合せ処理ができるようにしてもよい。
【００３４】
図８は、本実施形態のシステムにおいて、ＩＣカード１２０内の記憶装置１２３に格納されている利用履歴テーブルのレコードを削除するときの、処理手順のフローチャートである。この処理は、カードの利用者がＩＣカード処理装置１４０にＩＣカード１２０を挿入して所定の操作を行うことにより開始する。
【００３５】
まず、ＩＣカード処理装置１４１を利用して、ＩＣカード１２０内の記憶装置１２３に格納されている利用履歴テーブルを読み取る（ステップ８０１）。ここでは図３の利用履歴テーブルを読み取ったものとして以下説明する。
【００３６】
次に、読み取った利用履歴テーブルのレコード中から、支払済情報３０３が“済”であるレコード、またはその他情報３０４が“不明請求”であるレコードを検索する（ステップ８０２）。そのようなレコードがなかった場合には処理を終了する。前記支払済のレコードまたは不明請求のレコードがあった場合には、ステップ８０１で読み取った利用履歴テーブルを画面に表示し、支払済履歴または不明請求のレコードを削除するかどうかの問い合せを行う。図６は、支払済または不明請求のレコードがあった場合の利用履歴テーブルの読み出し結果表示例である。
【００３７】
カード利用者は、図６のような画面でＹＥＳボタン６０５またはＮＯボタン６０６を押す（ステップ８０３）。支払済履歴のレコードも不明請求のレコードも削除しない場合、カード利用者がＮＯボタン６０６をＩＣカード処理装置１４１内の入力装置１４２を使って押すと、処理が終了する。支払済履歴のレコードまたは不明請求のレコードを削除する場合、カード利用者がＹＥＳボタン６０５をＩＣカード処理装置１４１内の入力装置１４２を使って押し、さらに削除するレコードを入力装置１４２から選択すると（ステップ８０４）、当該選択されたレコードが削除され、更新された利用履歴テーブルがＩＣカード処理装置１４１を利用してＩＣカード１２０内の記憶装置１２３に格納される（ステップ８０５）。図４は、図３の状態から、支払済履歴のレコードを削除した状態を示す。
【００３８】
次に、前述の実施形態の変形例を説明する。前述の発明の実施の形態ではＩＣカード１２０内の記憶装置１２３に格納されている図２の利用履歴テーブルと照合するための情報はカード会社のサーバ１１２に接続している記憶装置１１３に格納されているが、予めカード会社が通信装置１１１とネットワーク１３０を利用して、カード会社のサーバに接続されている記憶装置１１３に格納された図９の請求情報とクレジットカードNoを電子メールでクレジットカード利用者の電子メールアドレスに送り、クレジットカード利用者は図９の請求情報とクレジットカードNoをＩＣカード処理装置１４１内の通信装置１４６を利用して受取った後、ＩＣカード処理装置１４１内の記憶装置１４７に図９の請求情報とクレジットカードNoを格納し、前述の発明の実施の形態と同様に、ＩＣカード１２０内の記憶装置１２３に格納されている図２の利用履歴テーブル及びクレジットカードNoを、ＩＣカード処理装置１４１内の記憶装置１４７に格納した図９の請求情報及びクレジットカードNoと照合するようにしてもよい。
【００３９】
前述の実施の形態の第２の変形例を説明する。前述の発明の実施の形態ではＩＣカード１２０内の記憶装置１２３に格納されている図２の利用履歴テーブルをカード会社のサーバ１１２に接続している記憶装置１１３に格納している図９の請求情報と照合しているが、予めＩＣカード１２０内の記憶装置１２３に格納してある図２の利用履歴テーブルとクレジットカードNoを、ＩＣカード処理装置１４１を利用して、ＩＣカード処理装置１４１内の記憶装置１４７に格納し、前述の発明の実施の形態と同様に、ＩＣカード処理装置１４１内の記憶装置１４７に格納した図２の利用履歴テーブル及びクレジットカードNoを、カード会社のサーバ１１２に接続している記憶装置１１３に格納してある図９の請求情報及びクレジットカードNoと照合するようにしてもよい。これにより、例えばカード利用者が使用している家計簿ソフトに本発明に係る機能を取り込み、当該家計簿ソフトで上記の照合などの処理を行うようにできる。
【００４０】
前述の実施の形態の第３の変形例を説明する。前述の発明の実施の形態において、ＩＣカード１２０内の記憶装置１２３内の利用履歴テーブルの情報を更新する機能がＩＣカード処理装置１４１にない場合、ＩＣカード１２０内の記憶装置１２３内の利用履歴テーブルを更新せずに、前述の発明の実施の形態と同様にＩＣカード１２０内の利用履歴テーブルとカード会社サーバ１１２に接続している記憶装置１１３内の請求情報とを照合し、その結果は表示するとともに、ＩＣカード処理装置１４１の記憶装置１４７に格納しておいてもよい。
【００４１】
上記実施の形態及びその変形例によれば、利用者が利用した利用履歴情報とカード会社が保有するクレジット請求情報とを逐次突き合わせることができるため、利用者にとって利用者が利用したクレジットのどのくらいの額の請求がいつ頃になるかを迅速に把握できる。また、利用者にとって、利用者が実際に利用した前記クレジット請求情報、及び、誤って登録された、または不正に登録された前記クレジット請求情報を迅速に把握できる。さらに、支払済の利用履歴情報を削除することで、ＩＣカード内の格納可能容量を保ち、利用者がクレジットカードを利用した場合に常に新しい利用履歴情報をクレジットカード加盟店などで書込めるようにできる。
【００４２】
【発明の効果】
以上述べたように、本発明によれば、ＩＣカード内の利用履歴とカード会社が所有する請求情報とを自動的に照合することにより、クレジットカード利用者が、迅速に請求期日を確認し、利用していない請求を判断し、次回以降の請求金額を把握することができる。
【図面の簡単な説明】
【図１】本発明の実施の形態に係るＩＣカード及び支払管理システムの構成を示すブロック図である。
【図２】ＩＣカード内の記憶装置に格納した利用履歴テーブルの一例である。
【図３】ＩＣカード内の記憶装置に格納した利用履歴テーブルの一例である。
【図４】ＩＣカード内の記憶装置に格納した利用履歴テーブルの一例である。
【図５】ＩＣカード内の利用履歴テーブルとカード会社システムの記憶装置に格納されている請求情報とを照会した結果を表す画面の一例である。
【図６】ＩＣカード内の利用履歴テーブルを読み出した結果の画面の一例である。
【図７】ＩＣカードを利用してＩＣカード内の利用履歴テーブルとカード会社の請求情報を照会するときの処理手順のフローチャートである。
【図８】ＩＣカード内の記憶装置に格納されている利用履歴テーブルのレコードを削除するときの処理手順のフローチャートである。
【図９】カード会社のサーバに接続されている記憶装置に格納される請求情報の一例である。
【符号の説明】
１０１…ＩＣカード処理装置、１０２…入力装置、１０３…処理装置、１０４…ＩＣカード読み取り／書込み部、１０５…表示装置、１０６…通信装置、１０７…記憶装置、１２０…ＩＣカード、１２１…通信装置、１２２…処理装置、１２３…記憶装置、１１０…カード会社システム、１１１…通信装置、１１２…カード会社サーバ、１１３…記憶装置、１４１…ＩＣカード処理装置、１４２…入力装置、１４３…処理装置、１４４…ＩＣカード読み取り／書込み部、１４５…表示装置、１４６…通信装置、１４７…記憶装置、１３０…ネットワーク。
【図１】
0003729436.tif 000002
【図２】
0003729436.tif 000003
【図３】
0003729436.tif 000004
【図４】
0003729436.tif 000005
【図５】
0003729436.tif 000006
【図６】
0003729436.tif 000007
【図７】
0003729436.tif 000008
【図８】
0003729436.tif 000009
【図９】
0003729436.tif 000010